(57)【要約】【課題】  バックルの掛止作業を簡単に行うことができ、ベルトの締め込み加減に関係なく不慮の離脱を防止でき、また装着時には着用者やペットに対して掛止突起が食込むこともなく、更には軽量で薄く、安価に製造でき、優れた美感を生ずるバックルの提供。【解決手段】  基板を有するバックル本体と、該バックル本体に対し軸部で枢着されるバックル掛止片とを備え、バックル掛止片は、外方へ起立する掛止突起を備えてなるバックルにおいて、前記掛止突起（２０）は、バックル本体（１）の基板外面（１１０）に突出しない寸法を有し、且つ、バックル係止片（２）の軸部に備え、前記掛止突起（２０）と同軸上に、掛止突起（２０）より低い刺衝突起（２１）を設けたことを特徴とするバックルを、解決手段とする。【選択図】  図７
2006204558.tif 000002
【特許請求の範囲】
【請求項１】
基板を有するバックル本体と、該バックル本体に対し軸部で枢着されるバックル掛止片とを備え、バックル掛止片は、外方へ起立する掛止突起を備えてなるバックルにおいて、
前記掛止突起は、バックル本体の基板外面に突出しない寸法を有し、且つ、バックル係止片の軸部に備え、
前記掛止突起と同軸上に、掛止突起より低い刺衝突起を設けたことを特徴とするバックル。
【請求項２】
掛止突起と刺衝突起は、平板部に対する起立角度が異なるものとしたことを特徴とする請求項１記載のバックル。
【請求項３】
バックル本体の基板は、掛止突起が掛止するベルト部材の掛止穴に対応する位置に、位置決め用穴を形成したことを特徴とする請求項１又は２記載のバックル。
【請求項４】
請求項１、２又は３記載のバックルを複数の掛止穴を列設してなる首輪ベルトの一端に固着してなる、バックルを備えたベルト。
【請求項５】
請求項１、２又は３記載のバックルを複数の掛止穴を列設してなる首輪ベルトの一端に固着してなるペット用首輪。
【発明の詳細な説明】
【技術分野】
【０００１】
本発明は、ベルトの一端に固着する金属製のバックルに関する。
【背景技術】
【０００２】
複数の掛止穴を列設したベルトの一端に取付けて使用するベルト用のバックルは、多種多様なものが発明されており、このうち、外方へ起立する掛止突起を有するものは、内方へ起立する掛止突起を有するものと比べて、外部からの衝撃等によって、掛止突起が身体に対して食込むことがないことから、着用者の安全性が高いものである。また、この安全性については、単に人間のみならず、犬等のようにベルトを直接体に装着するペット類にとっては、更に好ましく、ペットが様々な動きを行った場合でも、掛止突起がペットの体に対して食込むことがない効果を得ることができるものである。
【０００３】
そして、このような構成を備えたものとしては、例えば、ベルトの一方端を止着する止着枠を枠状本体内側に設け、上記枠状本体の内側に、枠状本体の裏面側から挿入したベルト他方部を支持する支持枠を形成し、この支持枠に当該ベルトの止め穴に嵌入する上向突起を設け、当該ベルトの他の止め穴にさらに嵌入する下向突起を、枠状本体のベルト挿入側枠部の裏面に設けたことを特徴とするペットの首輪用尾錠（例えば、特許文献１参照。）や、
複数の側壁、外プレート及び内プレートを有する実質的に矩形の管状の本体であって、その内部には中空のトンネル空間を形成して、ベルトが挿通するための通路を形成する本体を備え、上記内プレートは、その右端のベース部にかつその中心線に沿って立設された植え込みホックを有し、上記外プレートの右端は、その後方に、上記植え込みホックから間隔が設けられ、その間には、上記ベルトが挿入されて通過するためのベルト通路空間が形成され、上記内プレートは、上記ベルトの先端部が固定されるために、その左端に形成されたスリットを有する、衣類用のベルトバックル（例えば、特許文献２参照。）が公知である。
【０００４】
【特許文献１】実開平３−７１７４６号公報
【特許文献２】特表平１０−５０４７３４号公報
【発明の開示】
【発明が解決しようとする課題】
【０００５】
上記特許文献１に係るペットの首輪用尾錠（以下、先行発明１という。）は、従来の止めピンが可動ピンであることに伴う不都合、即ち、ピン長さによる調節ロス、首輪を緩い状態で装着した場合の不慮の係合解除、止め穴の損傷を解消すべくなされたものであり、ある程度これらの解消には効果を奏するものである。
【０００６】
しかしながら、ピンが可動しない当該構成によれば、装着時には上向き及び下向きのピンを夫々ベルトに挿入しなければならず、ベルトの取外しにおいても、同様に各ピンを夫々取外さなければならないこととなり、非常に行い難い欠点があった。
【０００７】
また、本来、外方へ起立する掛止突起（先行発明１における、上向きのピン）のみの装着によって、ペットに対する安全性が確保されるところ、不慮の係合解除を防止すべく下向きのピンを必須の構成として追加したことで、該下向きのピンがペットの体に対して食込むこととなり、従来のペットに対する安全性を損なう結果を生じていた。
【０００８】
次に、上記特許文献２に係るベルトバックル（以下、先行発明２という。）は、複数の実施例を開示するものであり、主として、第一実施例のように、ベルトの離脱を防止する手段を有さず、ある程度ベルトで締め付けることによってはじめて機能するもの、及び第二実施例以下のように、スライド手段を備えたものとがある。また、第二実施例以下のもののうち、掛止穴を備えるベルト（特許文献２第４頁第１５行乃至第１６行に定義されるアイベルト）に用いるバックルとしては、第二実施例及び第三実施例が開示されている。
【０００９】
このうち、第一実施例に開示されるベルトの離脱防止手段を有しないものは、当然ながらベルトの離脱（不慮の係合解除）を容易に起こすことから、機能的に十分とは言えないものであった。
【００１０】
また、第二実施例及び第三実施例が開示されるベルトの離脱防止手段を備えるバックルにおいては、例えば特許文献２の第７図に開示されるシャッターバー７のような離脱防止手段を備える場合には、全体として重量が増加し、厚手となりやすい欠点がある。
【００１１】
本発明は以上の事情に鑑みてなされたものであり、掛止突起と掛止穴との掛止作業を簡単に行うことができ、軽量で薄く、安価に製造でき、優れた美感を生ずるバックルの提供を課題とする。
【課題を解決するための手段】
【００１２】
基板を有するバックル本体と、該バックル本体に対し軸部で枢着されるバックル掛止片とを備え、バックル掛止片は、外方へ起立する掛止突起を備えてなるバックルにおいて、前記掛止突起は、バックル本体の基板外面に突出しない寸法を有し、且つ、バックル係止片の軸部に備え、前記掛止突起と同軸上に、掛止突起より低い刺衝突起を設けたことを特徴とするバックルを、課題を解決するための手段とするものである。
【発明の効果】
【００１３】
請求項１に係る発明によれば、基板を有するバックル本体と、該バックル本体に対し軸部で枢着されるバックル掛止片とを備え、バックル掛止片は、外方へ起立する掛止突起を備えてなるバックルにおいて、前記掛止突起は、バックル本体の基板外面に突出しない寸法を有し、且つ、バックル係止片の軸部に備え、前記掛止突起と同軸上に、掛止突起より低い刺衝突起を設けたことから、バックルを非常に薄手として形成することができるとともに、掛止突起がベルトの掛止穴と掛止することに加えて刺衝突起がベルトの生地に対して食込むことで、不用意な離脱の可能性を低減し、ベルトに対してバックルを強固に掛止することができる。
【００１４】
また、当該構成によって、バックル本体を倒すのみの操作で、掛止突起と刺衝突起との双方が、ベルトに対して固着されることから、非常に簡単な操作で、バックルの掛止を行うことができる。
【００１５】
請求項２に係る発明によれば、掛止突起と刺衝突起は、平板部に対する起立角度が異なるものとしたことによって、特定の方向への外圧がベルト若しくはバックルにかかった場合に、少なくとも掛止突起と刺衝突起の一方はベルトに引っ掛る状態が維持されるため、双方が同時にベルトから離脱することがなく、バックルとベルトとが不用意に離脱する可能性を更に低減することができる。
【００１６】
請求項３に係る発明によれば、上記請求項１及び２に係る効果を備えた上で、更に、掛止突起が掛止するベルト部材の掛止穴に対応した基板の位置に、該ベルトの掛止穴の位置決め用穴を形成したことによって、位置決め用穴とベルトの掛止穴とを合わせた状態を目視ですぐに確認でき、バックル本体を倒すだけの非常に簡単な操作で、ベルトの装着を行うことができる。
【００１７】
更に、請求項３に係る発明によれば、同構成によって、位置決め用穴とベルトの掛止穴とを合わせた状態を目視ですぐに確認できることから、ベルト装着時において一旦ベルトを強く締め込んで徐々に緩めて掛止穴位置でバックルを位置決めするという一連の操作の必要がなく、最初から略目的とする位置で穴を合わせるだけで、締め込み時の不快感を生じないものとすることができる。
【００１８】
請求項４及び５に係る発明によれば、上記バックルの構成によって、軽量で薄いバックルとベルト若しくは首輪とを簡単な操作で掛止させることができ、優れた衣服用のベルトやペット用首輪を提供することができるものである。
【発明を実施するための最良の形態】
【００１９】
本発明は、基板を有するバックル本体と、ベルトに列設される複数の掛止穴に対する掛止手段として外方へ起立する掛止突起とを備えるバックルにおいて、ベルトの掛止穴を位置決めするための位置決め用穴をバックル本体の基板に形成することによって、掛止突起と掛止穴との掛止作業を簡単に行うことができ、ベルトの締め込み加減に関係なく不慮の離脱を防止でき、また装着時には着用者やペットに対して掛止突起が食込むこともなく、更には軽量で薄く、安価に製造でき、優れた美感を生ずるバックルを実現した。
【実施例】
【００２０】
図１は本発明の実施例に係るバックルの正面図、図２は同バックルの背面図、図３は同バックルの右側面図、図４は同バックルの左側面図、図５は同バックルの平面図、図６は図１のＡ−Ａ断面図、図７は本発明の実施例に係るバックルとベルト部材とを連結し、掛止穴と掛止突起とを掛止した状態を示す説明断面図とその一部拡大図、図８は本発明の実施例に係るバックルとベルト部材とを連結し、掛止穴と掛止突起とが掛止していない状態を示す説明断面図、図９は本発明の実施例に係るバックル掛止片２の平面図、図１０は実施例２に係るバックルを示す正面図、図１１は同実施例２に係るバックルを示す背面図、図１２は同実施例に係るバックルを示す右側面図、図１３は同実施例２に係るバックルを示す左側面図、図１４は同実施例２に係るバックルを示す平面図、図１５は同実施例２に係るバックルを示すＤ−Ｄ断面図である。尚、実施例１のバックルの底面図は実施例１のバックルの平面図と対称であり、実施例２に係るバックルの底面図は、同実施例２に係るバックルの平面図と対称である（図示せず。）。
【００２１】
（実施例１）
以下に本発明の実施例１について詳細に説明する。尚、当然ながら本発明は下記実施例に限定されるものではない。
【００２２】
本発明の実施例１に係るバックルＢは、図１乃至図６に示すように、金属製のバックル本体１と該バックル本体１に枢着される金属製のバックル掛止片２とからなる。これらバックル本体１とバックル掛止片２はいずれもプレス成形により形成したものである。
【００２３】
バックル本体１は、基板１１と該基板１１の上端及び下端に相互に対峙する上側壁１２及び下側壁１３を備え、前記基板１１の略中央には直径５ミリメートル程度となる位置決め用穴１０を設けている。また、バックルＢが着用者のウエストへの装着やペットの首輪の装着のようにベルト部材３０を捲着状態として固定することを前提とするため、基板１１は図５の平面図に示すように、やや湾曲した形状としており、上側壁１２及び下側壁１３は平面視略三角形状とし、その頂点近傍位置に、同一中心軸上となるように軸穴１４を形成した構成としている。
【００２４】
バックル掛止片２は、図９に示すように、金属製の平板部２５の一端側に上下幅方向に張り出す突出部２４、２４を設けるとともに、上下の突出部２４、２４間にはベルト部材３０の一端を固着するためのベルト固着用長穴２３を形成している。
【００２５】
そして、前記平板部２５を折曲ラインＣから折曲し、当該折曲により起立した他端には上下方向中央に掛止突起２０を形成し、該掛止突起２０の上下夫々に各二つの刺衝突起２１を並設し、更に、前記折曲ラインＣから刺衝突起２１及び掛止突起２０の根元までの間を軸部２６として、軸部２６の両端位置から上下に軸片２２を張り出し形成している。
【００２６】
ここで、各刺衝突起２１よりも掛止突起２０は大きく折曲されており、図６に示すＡ−Ａ断面図に示すように、本実施例においては、平板部２５と刺衝突起２１若しくは軸部２６とがなす角α（平板部２５との刺衝突起２１の起立角度）は鈍角として形成されており、また、平板部２５と掛止突起２０とがなす角βは鋭角として形成されている。この折曲角度（平板部２５との掛止突起２０の起立角度）の相違により、刺衝突起２１はベルト部材３０に対して食込んで押圧し、掛止突起は円滑にベルト部材３０の掛止穴３１に掛止する機能を備える。
【００２７】
バックル本体１の内面１１１側にバックル掛止片２の掛止突起２０を向けた状態で、バックル本体１の軸穴１４内にバックル掛止片２の軸片２２を挿通することによって、一体として構成される。
【００２８】
本実施例におけるベルト部材３０は、その一端をバックル掛止片２のベルト固着側と連結固着し、ベルト部材３０の先端となる他端側は、掛止穴３１を有する鳩目３２を、等間隔で複数列設している。
【００２９】
尚、図８に示すように、本実施例におけるベルト３は、一般的なベルトと同様に、ベルト部材３０の先端をガイドするベルト通し環３３を設けている。
【００３０】
本発明の実施例１に係るバックル１を備えたベルトの装着方法について以下に説明する。
先ず、図８に開示されるように、バックル掛止片２のベルト固着側とバックル本体１とを引き離した状態で、バックルＢの左側面側（図４参照。）からベルト部材３０の先端を、軸部２６とバックル本体１との間に挿通する。この状態では、掛止突起２０と刺衝突起２１の双方がベルト部材３０及びベルト部材３０に取付けられた鳩目３２と接触せず、速やかにベルト部材３０をバックルＢに通すことができる。
【００３１】
次に、バックル本体１の外面１１０側から位置決め用穴１０を目視し、位置決め用穴１０内に表れる掛止穴３１が、好適なベルト３の締め付け具合となり、且つ掛止穴３１の輪郭と位置決め用穴１０の輪郭とを一致させる状態とする。
【００３２】
この状態を確保したままバックル本体１をバックル掛止片２に対して倒す操作を行う。このときに刺衝突起２１がベルト部材３０の内面側から当該ベルト部材３０を強くバックル本体１の内面１１１へ押し付けることとなり、次いで掛止突起２０がベルト部材３０の掛止穴３１内に掛止する（図７参照。）。以上の非常に簡単な操作でベルト３の装着を行うことができるのである。
【００３３】
装着状態においては、ベルト３の締め付けを緩める方向にベルト部材３０を引っ張ると、掛止突起２０と掛止穴３１によってロックされ、逆にベルト３を締め込む方向にベルト部材３０を引っ張ると、刺衝突起２１がベルト部材３０に更に食込むこととなるので、ベルト３の締め付け位置を固定することができる。
【００３４】
ベルト３の脱着を行う際には、装着操作と基本的に逆手順で行えばよい。先ず、装着時に倒したバックル本体１を起こす操作を行う。この操作は直接バックル本体１を起こさなくとも、ベルト部材３０の先端を起こすことで、容易にバックル本体１を起こすことができる。本実施例においては、バックル本体１を起こす角度がバックル掛止片２に対して概ね４５度程度の場合、掛止突起２０は掛止穴３１から外れるが刺衝突起２１はベルト部材３０から離れず、バックル本体１を起こす角度がバックル掛止片２に対して概ね９０度程度とすることで、掛止突起２０と刺衝突起２１の双方を取外すことができる。
【００３５】
掛止突起２０と刺衝突起２１によるロックを解除した後、ベルト部材３０をバックルＢから抜くことで、ベルト３の脱着が完了する。
【００３６】
当該脱着操作は、バックル本体１を起こして行なう構成であることから、装着状態から更にベルト部材３０を強く締め込む必要がなく、着用者やペットが脱着時に締め付けによる不快感を生ずることがない。
【００３７】
また、脱着時のバックル本体１を起こす操作は容易なものの、バックル本体１を少し起こした程度では刺衝突起２１によってバックルＢの係合状態が保たれていることから、不慮にベルト３が脱着することもない。
【００３８】
上記実施例１においては、位置決め用穴１０、掛止穴３１、掛止突起２０はいずれも一つずつ設けたものであるが、本発明においてはこれに限定するものではない。例えば、ベルト部材３０に設けられる掛止穴３１が長手に二列配列されるものであれば、これに対応して、掛止突起２０を二つ設けることができる。また、この場合、対応する位置決め用穴１０は二つとすることもできるし、一つのみとすることもできる。
【００３９】
尚、実施例１のように位置決め用穴１０を設ける場合については、本発明における位置決め用穴１０の直径の大きさは、掛止穴３１と同径である場合のみならず、掛止穴３１の位置が判別できる程度の大きさであれば位置決め用穴１０よりも小さくてもよいし、鳩目３２を用いた場合には、掛止穴３１のみならず鳩目３２の直径より僅かに大きい程度を許容する趣旨である。
【００４０】
（実施例２）
次に、実施例２に係るバックルは、図１０乃至図１５に示すように、基本構成は実施例１と特に変わるものではない。本実施例２については、位置決め用穴１０については全く設けない点について実施例１と相違するものである。
【００４１】
この場合においても、前記掛止突起２０は、バックル本体１の基板外面１１０に突出しない寸法を有し、且つ、バックル係止片２の軸部に備えるとともに、前記掛止突起２０と同軸上に、掛止突起２０より低い刺衝突起２１を設けた構成を満たしていることから、薄くて軽量なバックルＢとすることができるとともに、掛止突起２０がベルト３の掛止穴３１と掛止することに加えて刺衝突起２１がベルト３の生地に対して食込むことで、不用意な離脱の可能性を低減し、ベルト３に対してバックルＢを強固に掛止することができる効果を得ることができる。尚、当該実施例２については、掛止突起２０の高さを実施例１よりも若干低く設定している。これによって、掛止突起２０とバックル本体１との干渉を阻止し、より掛止操作を良好なものとしている。
【００４２】
また、実施例２においても、掛止突起２０と刺衝突起２１は、平板部２５に対する起立角度が異なるものとした場合には、特定の方向への外圧がベルト３若しくはバックルＢにかかっても、少なくとも掛止突起２０と刺衝突起２１の一方はベルト３に引っ掛る状態が維持されるため、双方が同時にベルト３から離脱することがなく、バックルＢとベルト３とが不用意に離脱する可能性を更に低減することができる。
【００４３】
本発明においては上記実施例１及び実施例２に限らず、掛止突起２０の長さ、位置、形状、ベルト部材３０の厚み、軸部２６の位置、掛止穴３１の径の大きさ等を適宜調節することによって、円滑な掛止穴３１と掛止突起２０との係脱を確保することができる。また、掛止突起２０は必ずしも実施例のようにバックル本体１の位置決め用穴１０内まで達する必要はなく、掛止突起２０と掛止穴３１との掛止状態が確保できればよい。
【００４４】
また、本発明におけるバックルＢは、バックル本体１の外面１１０に位置決め用穴１０が表れ、該位置決め用穴１０内には鳩目３２や掛止穴３１の輪郭、掛止突起２０の一部が表れる構成であることから、バックル本体１の外面１１０全体にこれらの位置決め用穴１０等を利用した装飾的な形状や、模様、色彩、文字列等の種々の意匠を表すことができる。バックル本体１に形成されているこれらの位置決め用穴１０等が意匠上の大きな特徴となるので、美感を喚起でき、非常に良好な意匠を備えたバックルＢとすることができる。
【００４５】
本発明における掛止穴３１は実施例に開示した鳩目３２における掛止穴３１のみならず、ベルト部材３０に対して穿設される貫通穴等とすることもできる。しかしながら、鳩目３２を用いた場合には、掛止穴３１の縁部の強度を十分に確保できること、また、鳩目３２の金属光沢を意匠上利用できることから、より好ましいものとすることができる。
【図面の簡単な説明】
【００４６】
【図１】本発明の実施例１に係るバックルを示す正面図である。
【図２】本発明の実施例１に係るバックルを示す背面図である。
【図３】本発明の実施例１に係るバックルを示す右側面図である。
【図４】本発明の実施例１に係るバックルを示す左側面図である。
【図５】本発明の実施例１に係るバックルを示す平面図である。
【図６】本発明の実施例１に係るバックルを示すＡ−Ａ断面図である。
【図７】本発明の実施例１に係るバックルとベルト部材とを連結し、掛止穴と掛止突起との掛止状態を示す説明断面図、及びその一部拡大図である。
【図８】本発明の実施例１に係るバックルとベルト部材とを連結し、掛止穴と掛止突起とが掛止していない状態を示す説明断面図である。
【図９】本発明の実施例１に係るバックル掛止片２の平面図である。
【図１０】本発明の実施例２に係るバックルを示す正面図である。
【図１１】本発明の実施例２に係るバックルを示す背面図である。
【図１２】本発明の実施例２に係るバックルを示す右側面図である。
【図１３】本発明の実施例２に係るバックルを示す左側面図である。
【図１４】本発明の実施例２に係るバックルを示す平面図である。
【図１５】本発明の実施例２に係るバックルを示すＤ−Ｄ断面図である。
【符号の説明】
【００４７】
１      バックル本体
１０    位置決め用穴
１１    基板
１１０  外面
１１１  内面
１２    上側面
１３    下側面
１４    軸穴
２      バックル掛止片
２０    掛止突起
２１    刺衝突起
２２    軸片
２３    ベルト固着用長穴
２４    突出部
２５    平板部
２６    軸部
３      ベルト
３０    ベルト部材
３１    掛止穴
３２    鳩目
３３    ベルト通し環
Ｂ      バックル
Ｃ      折曲ライン
【図１】
2006204558.tif 000003
【図２】
2006204558.tif 000004
【図３】
2006204558.tif 000005
【図４】
2006204558.tif 000006
【図５】
2006204558.tif 000007
【図６】
2006204558.tif 000008
【図７】
2006204558.tif 000009
【図８】
2006204558.tif 000010
【図９】
2006204558.tif 000011
【図１０】
2006204558.tif 000012
【図１１】
2006204558.tif 000013
【図１２】
2006204558.tif 000014
【図１３】
2006204558.tif 000015
【図１４】
2006204558.tif 000016
【図１５】
2006204558.tif 000017